(57)【要約】【課題】加熱発泡材を固定する作業を容易にすると共に、経年劣化による脱落も防止することのできるサッシを提供する。【解決手段】建物開口部に設けられる枠体１内に障子２，３を納めてなり、枠体１を構成する枠部材または障子２，３を構成する框部材には、加熱時に発泡する加熱発泡材１３ｃを有するホルダ部材１３が装着され、ホルダ部材１３は枠部材または框部材の表面形状に沿う外形部１３ａを備え、外形部１３ａに加熱発泡材１３ｃを係止する保持部１３ｂが形成され、枠部材または框部材は、断面凹形状を有する凹状部１１ｄを有し、凹状部１１ｄに対して外形部１３ａが嵌合することでホルダ部材１３が係止される。【選択図】図３
2014074266.tif 000002
【特許請求の範囲】
【請求項１】
建物開口部に設けられる枠体内に障子を納めてなるサッシにおいて、
前記枠体を構成する枠部材または前記障子を構成する框部材には、加熱時に発泡する加熱発泡材を有するホルダ部材が装着されることを特徴とするサッシ。
【請求項２】
前記加熱発泡材は、前記枠体を構成する下枠の内周面と気密材を有する延出壁及び前記障子を構成する縦框の下端部とで囲まれる空間を閉塞可能であることを特徴とする請求項１記載のサッシ。
【請求項３】
前記ホルダ部材を前記枠部材または前記框部材に装着させる係止部材を備えたことを特徴とする請求項１または２記載のサッシ。
【請求項４】
前記ホルダ部材は前記枠部材または框部材の表面形状に沿う外形部を備え、該外形部に前記加熱発泡材を係止する保持部が形成されることを特徴とする請求項１〜３のいずれか１項に記載のサッシ。
【請求項５】
前記枠部材または框部材は、断面凹形状を有する凹状部を有し、該凹状部に対して前記外形部が嵌合することで前記ホルダ部材が係止されることを特徴とする請求項４記載のサッシ。
【請求項６】
前記障子は内障子と外障子からなり、前記枠体を構成する下枠は、前記内障子を案内する内レール部と、前記外障子を案内する外レール部と、前記内レール部から室外側に伸び先端部が前記外障子の室内側面と対向する室外延出壁とを備え、
前記室外延出壁と前記内レール部とで前記凹状部を形成すると共に、該凹状部に前記ホルダ部材が係止されることを特徴とする請求項５記載のサッシ。
【請求項７】
前記下枠は、前記内障子の室内側面と対向する室内延出壁を備え、該室内延出壁と前記内レール部とで前記凹状部を形成すると共に、該凹状部に前記ホルダ部材が係止されることを特徴とする請求項６記載のサッシ。
【請求項８】
前記枠体を構成する上枠は、前記内障子を案内する上内レール部と、前記外障子を案内する上外レール部とを備え、該上外レール部と前記上内レール部との間に前記凹状部が形成されると共に、該凹状部に前記ホルダ部材が係止されることを特徴とする請求項６または７記載のサッシ。
【発明の詳細な説明】
【技術分野】
【０００１】
本発明は、建物開口部に設けられる枠体内に障子を納めたサッシに関し、特に火災発生時に枠体と障子の間に生じる隙間を塞ぐ加熱発泡材を容易に取り付け可能としたサッシに関する。
【背景技術】
【０００２】
建物開口部に設けられる枠体内に障子を納めたサッシでは、火災が発生した場合にも閉塞状態を維持して火炎を貫通させない防火性能が求められる。枠体と障子の間の隙間を塞ぐために、例えば枠体または障子を構成する框体に加熱発泡材を設けている。加熱発泡材は、所定温度以上となることで発泡し、体積が数十倍に増加して隙間を充填することのできるものである。このように枠体または框体に加熱発泡材を設けたサッシとしては、例えば特許文献１に挙げるようなものがある。
【先行技術文献】
【特許文献】
【０００３】
【特許文献１】特開２００４−１６９４５４号公報
【発明の概要】
【発明が解決しようとする課題】
【０００４】
加熱発泡材は、枠体を構成する枠部材または框体を構成する框部材の表面に、両面テープを用いて貼着されるのが一般的である。しかし、粘着力により加熱発泡材を固定した場合、経年劣化により粘着力が低下することが考えられる。また、雨水などに晒されることによって、粘着力が低下していく可能性もある。粘着力が低下して加熱発泡材が脱落すると、所定の防火性能を得られなくなる可能性があったため、これを防止する必要があった。
【０００５】
本発明は前記課題を鑑みてなされたものであり、加熱発泡材を固定する作業を容易にすると共に、経年劣化による脱落も防止することのできるサッシを提供することを目的とする。
【課題を解決するための手段】
【０００６】
前記課題を解決するため、請求項１の発明に係るサッシは、建物開口部に設けられる枠体内に障子を納めてなるサッシにおいて、
前記枠体を構成する枠部材または前記障子を構成する框部材には、加熱時に発泡する加熱発泡材を有するホルダ部材が装着されることを特徴として構成されている。
【０００７】
請求項１に係る発明によれば、ホルダ部材を装着するだけで加熱発泡材を枠部材または框部材に対し固定することができる。
【０００８】
また、請求項２の発明に係るサッシは、前記加熱発泡材は、前記枠体を構成する下枠の内周面と気密材を有する延出壁及び前記障子を構成する縦框の下端部とで囲まれる空間を閉塞可能であることを特徴として構成されている。
【０００９】
請求項２に係る発明によれば、枠体の下枠と框体の下框との間において、可燃ガスの流出を招く穴や隙間を塞ぐことができる。
【００１０】
さらに、請求項３の発明に係るサッシは、前記ホルダ部材を前記枠部材または前記框部材に装着させる係止部材を備えたことを特徴として構成されている。
【００１１】
請求項３に係る発明によれば、ホルダ部材を容易に枠部材や框部材に装着することができる。
【００１２】
さらにまた、請求項４の発明に係るサッシは、前記ホルダ部材は前記枠部材または框部材の表面形状に沿う外形部を備え、該外形部に前記加熱発泡材を係止する保持部が形成されることを特徴として構成されている。
【００１３】
請求項４に係る発明によれば、加熱発泡材をホルダ部材に対して容易に固定できると共に、粘着テープ等を用いる必要がないようにすることができる。
【００１４】
そして、請求項５の発明に係るサッシは、前記枠部材または框部材は、断面凹形状を有する凹状部を有し、該凹状部に対して前記外形部が嵌合することで前記ホルダ部材が係止されることを特徴として構成されている。
【００１５】
請求項５に係る発明によれば、他に部品を用いることなくホルダ部材を枠部材または框部材に固定することができる。
【００１６】
また、請求項６の発明に係るサッシは、前記障子は内障子と外障子からなり、前記枠体を構成する下枠は、前記内障子を案内する内レール部と、前記外障子を案内する外レール部と、前記内レール部から室外側に伸び先端部が前記外障子の室内側面と対向する室外延出壁とを備え、
前記室外延出壁と前記内レール部とで前記凹状部を形成すると共に、該凹状部に前記ホルダ部材が係止されることを特徴として構成されている。
【００１７】
請求項６に係る発明によれば、下枠の内レール部と外レール部の間の領域に対して、加熱発泡材を容易に取付けることができる。
【００１８】
そして、請求項７の発明に係るサッシは、前記下枠は、前記内障子の室内側面と対向する室内延出壁を備え、該室内延出壁と前記内レール部とで前記凹状部を形成すると共に、該凹状部に前記ホルダ部材が係止されることを特徴として構成されている。
【００１９】
請求項７に係る発明によれば、下枠の内レール部より室内側の領域に対して、加熱発泡材を容易に取付けることができる。
【００２０】
また、請求項８の発明に係るサッシは、前記枠体を構成する上枠は、前記内障子を案内する上内レール部と、前記外障子を案内する上外レール部とを備え、該上外レール部と前記上内レール部との間に前記凹状部が形成されると共に、該凹状部に前記ホルダ部材が係止されることを特徴として構成されている。
【００２１】
請求項８に係る発明によれば、上枠の上外レール部と上内レール部の間の領域に対し、加熱発泡材を容易に取付けることができる。
【発明の効果】
【００２２】
本発明に係るサッシによれば、加熱発泡材をホルダ部材に設けたので、経年劣化による脱落を防止することができる。また、ホルダ部材を介して加熱発泡材を設けたため、新設の専用サッシ枠でなくても、既設のサッシ枠にも加熱発泡材を設置することができる。
【図面の簡単な説明】
【００２３】
【図１】本実施形態におけるサッシの縦断面図である。
【図２】サッシの横断面図である。
【図３】図１のうち下枠長手方向中央部付近の拡大図である。
【図４】図１のうち下枠長手方向端部付近の拡大図である。
【図５】下枠の斜視図である。
【図６】下枠と下端部ホルダ部材の分解斜視図である。
【図７】火災発生時の状態における下枠の端部付近拡大断面図である。
【図８】下中央ホルダ部材の斜視図である。
【図９】下中央ホルダ部材の取付前の状態における下枠の斜視図及び下枠の断面図である。
【図１０】下中央ホルダ部材の取付中における下枠の断面図である。
【図１１】下中央ホルダ部材の固定前の状態における下枠の斜視図である。
【図１２】風止板を固定した下枠の断面図と図１２（ａ）のＡ−Ａ断面図である。
【図１３】火災発生時における下枠中央部付近の拡大断面図である。
【図１４】下枠と下室内端部ホルダ部材の分解斜視図である。
【図１５】火災発生時の状態におけるサッシの横断面図である。
【図１６】上枠と上中央ホルダ部材の分解斜視図である。
【発明を実施するための形態】
【００２４】
本発明の実施形態について図面に沿って詳細に説明する。図１には本実施形態におけるサッシの縦断面図を、図２にはサッシの横断面図を、それぞれ示している。これら各図に示すように、本実施形態のサッシは、上枠１０と下枠１１及び左右の縦枠１２，１２を方形状に枠組みしてなる枠体１内に内障子２と外障子３を引き違い状に納めた引き違いサッシである。内障子２と外障子３は、上框２０と下框２１、枠側縦框２２及び召合わせ框２３を方形状に框組みしてなる框体４内にガラス板からなるパネル体５を納めてなる。
【００２５】
枠体１を構成する上枠１０の内周面には、内障子２と外障子３をそれぞれ案内する室内外２条の上レール部１０ａが長手方向に沿って形成されている。また、下枠１１の内周面には、内障子２と外障子３をそれぞれ案内する室内外２条のレール部１１ａが長手方向に沿って形成されている。
【００２６】
内障子２が配置される側の縦枠１２の内周面には、内障子２の外周面と対向する位置にフィン部１２ａが形成され、外障子３が配置される側の縦枠１２の内周面には、外障子３の外周面と対向する位置にフィン部１２ａが形成される。
【００２７】
框体４を構成する上框２０の上側には、上枠１０の上レール部１０ａに案内される凹状の案内溝２０ａが形成されている。下框２１の下側には、下枠１１のレール部１１ａに載置されて障子を走行自在とする戸車２１ａが設けられている。
【００２８】
枠側縦框２２は、室内側面の外周端部が外周側に延出された室内延出部２２ａと、室外側面の外周端部が外周側に延出された室外延出部２２ｂとを有し、室内延出部２２ａ及び室外延出部２２ｂで囲まれた領域により縦枠１２のフィン部１２ａを飲み込んでいる。
【００２９】
サッシ下辺の構成につき詳細に説明する。図３と図４には、図１のうち下枠１１付近の拡大図を示している。図３は、下枠１１のうち長手方向中央部付近の断面図となっている。また、図４には、下枠１１のうち長手方向端部付近の断面図を示している。下枠１１の内障子２を案内するレール部１１ａには、室外側に向かって伸びる室外延出壁１１ｂが形成され、その先端部には長手方向に沿って気密材１１ｃが設けられて外障子３の下框２１室内側面に対して当接する。そして、室外延出壁１１ｂと内障子２を案内するレール部１１ａ及び下枠１１の内周面によって、室外側に向かって開口する断面凹形状の室外凹状部１１ｄが形成されている。
【００３０】
下枠１１の室内側面には、内障子２の室内側面と対向する位置まで立ち上がる室内延出壁１１ｅが形成されており、その先端部には気密材１１ｆが保持されて内障子２の室内側面に対し当接する。室内延出壁１１ｅと下枠１１の内周面及び内障子２を案内するレール部１１ａによって、上方に向かって開口する断面凹形状の室内凹状部１１ｇが形成されている。
【００３１】
図５には、下枠１１の斜視図を示している。この図に示すように、下枠１１の室外凹状部１１ｄには、一方の端部に下端部ホルダ部材１３が固定され、中央部には下中央ホルダ部材１４が固定されている。また、下枠１１の室内凹状部１１ｇには、下端部ホルダ部材１３とは反対側の端部に下室内端部ホルダ部材１５が固定されている。
【００３２】
各ホルダ部材につき説明する。図６には、下枠１１と下端部ホルダ部材１３の分解斜視図を示している。下端部ホルダ部材１３は樹脂材からなり、下枠１１の室外凹状部１１ｄの表面形状に略沿う外形部１３ａを備えている。外形部１３ａには、室外側に面する垂直面部１３ｄにシート状の加熱発泡材１３ｃを保持できるように保持部１３ｂが形成されている。保持部１３ｂは、垂直面部１３ｄと加熱発泡材１３ｃの厚み分だけ離隔した爪状に形成されている。
【００３３】
加熱発泡材１３ｃを保持した下端部ホルダ部材１３は、下枠１１の端部から室外凹状部１１ｄに対して挿入される。下端部ホルダ部材１３の外形部１３ａは、室外凹状部１３ｄの表面形状に略沿う形状を有しているから、室外凹状部１３ｄに対し弾性的に圧入することができる。これにより、加熱発泡材１３ｃを所定位置に容易に配置することができる。
【００３４】
図７には、火災発生時の状態における下枠１１の端部付近拡大断面図を示している。下端部ホルダ部材１３に保持された加熱発泡材１３ｃは、火災発生時には発泡して室外凹状部１１ｄ及びその室外側領域を充填し、外障子３の枠側縦框２２の下端部と下枠１１の内周面との間の隙間を閉塞する。また、この加熱発泡材１３ｃは、外障子３の枠側縦框２２の室内側面に生じる隙間も閉塞する。図２に示すように、枠側縦框２２の室内側面には、引き手となる凹部２２ｃが長手方向に沿って形成されている。
【００３５】
框体４は、枠側縦框２２と召合わせ框２３の下端部側面に下框２１の両端面が突き合わされ連結されるため、枠側縦框２２の凹部２２ｃは框体４の下端部まで達している。下框２１の室内側面には、前述のように室外延出壁１１ｂに保持された気密材１１ｃが長手方向に沿って当接しており、枠側縦框２２の室内側面には、縦枠１２に保持された気密材１２ｂが長手方向に沿って当接している。
【００３６】
框体４の気密性確保のためには、下辺の気密ラインと縦辺の気密ラインを連続させる必要があるので、下枠１１の気密材１１ｃは縦枠１２の気密材１２ｂの位置まで設けられていて、端部付近では枠側縦框２２の室内側面に当接する。枠側縦框２２の室内側面には、前述のように下端部まで凹部２２ｃが形成されているので、この部分の気密ラインを連続させるため、凹部２２ｃを埋めるような樹脂部品２２ｄが下端部には設けられている。
【００３７】
しかし、凹部２２ｃ下端部の樹脂部品２２ｄは、火災発生時には溶融して脱落する。これに対し、下枠１１の室外凹状部１１ｄに配置される加熱発泡材１３ｃが発泡して枠側縦框２２の室内側面まで達することで、凹部２２ｃも加熱発泡材１３ｃで埋めることができるので、ここに隙間を発生させないようにすることができる。
【００３８】
図８には、下中央ホルダ部材１４の斜視図を示している。下中央ホルダ部材１４は、樹脂材からなり、下枠１１の室外凹状部１１ｄの表面形状に略沿う外形部１４ａを備えている。外形部１４ａには、室外側に面する垂直面部１４ｄにシート状の加熱発泡材１４ｃを保持できるように保持部１４ｂが形成されている。また、垂直面部１４ｄの上端中央位置には、室外側に向かって突出状の係合部１４ｅが形成されている。
【００３９】
図９には、下中央ホルダ部材１４の取付前の状態における下枠１１の斜視図（図９（ａ））及び下枠１１の断面図（図９（ｂ））を示している。図９（ａ）に示すように、下枠１１の中央部には、室外延出壁１１ｂに切欠部１１ｈが形成され、その側方には室外延出壁１１ｂに形成された露出孔１１ｉを有している。下中央ホルダ部材１４は、係合部１４ｅの位置を室外延出壁１１ｂの切欠部１１ｈの位置に合わせて、図９（ｂ）に示すように室外凹状部１１ｄに対して室外側から挿入される。
【００４０】
図１０には、下中央ホルダ部材１４の取付中における下枠１１の断面図を示している。この図に示すように、室外凹状部１１ｄに挿入された下中央ホルダ部材１４は、回転されることで室外凹状部１１ｄに対し係止される。これに伴い、下中央ホルダ部材１４の垂直面部１４ｄに保持された加熱発泡材１４ｃが、内障子２を案内するレール部１１ａの室外側に配置されて室外側に面する。
【００４１】
図１１には、下中央ホルダ部材１４の固定前の状態における下枠１１の斜視図を示している。下中央ホルダ部材１４を下枠１１の室外凹状部１１ｄに係止させた状態では、下枠１１の長手方向における固定がされていない。下中央ホルダ部材１４を室外凹状部１１ｄに係止させたら、図１０に示すように下中央ホルダ部材１４の係合部１４ｅが室外延出壁１１ｂに形成された露出孔１１ｉの位置となるように、下中央ホルダ部材１４を下枠１１の長手方向にスライドさせる。
【００４２】
その上で、露出孔１１ｉに露出した係合部１４ｅに対し、風止板１７が係合固定される。図１２には風止板１７を固定した下枠１１の断面図（図１２（ａ））と図１２（ａ）のＡ−Ａ断面図（図１２（ｂ））を示している。図１２（ａ）に示すように、風止板１７は下面側に係合部１７ａを有し、下枠１１の室外延出壁１１ｂの上面に配置される。図１２（ｂ）に示すように、風止板１７の係合部１７ａが露出孔１１ｉを介して下中央ホルダ部材１４に対して係合することにより、下中央ホルダ部材１４は下枠１１の長手方向にも固定される。
【００４３】
図１３には、火災発生時における下枠中央部付近の拡大断面図を示している。下中央ホルダ部材１４に保持された加熱発泡材１４ｃは、火災発生時には発泡して室外凹状部１１ｄ及びその室外側領域を充填し、内障子２と外障子３の召合わせ部分下端における隙間を閉塞する。これにより、例えば下框２１に設けられる戸車２１ａなどの樹脂材が溶融して発生する可燃性ガスが、内障子２と外障子３の召合わせ部分の領域を上下方向に伝わったり、または下枠１２の長手方向に伝わって室内外にそれぞれ侵入することを防止することができる。
【００４４】
図１４には、下枠１１と下室内端部ホルダ部材１５の分解斜視図を示している。下室内端部ホルダ部材１５は、樹脂材からなり、下枠１１の室内凹状部１１ｇの表面形状に略沿う外形部１５ａを備えている。外形部１５ａには、上側に面する水平面部１５ｄにシート状の加熱発泡材１５ｃを保持できるように保持部１５ｂが形成されている。
【００４５】
加熱発泡材１５ｃを保持した下室内端部ホルダ部材１５は、下枠１１の端部から室内凹状部１１ｇに対して挿入される。下室内端部ホルダ部材１５の外形部１５ａは、室内凹状部１１ｇの表面形状に略沿う形状を有しているから、室内凹状部１１ｇに対し弾性的に圧入することができる。これにより、加熱発泡材１５ｃを所定位置に容易に配置することができる。
【００４６】
図７に示すように、下室内端部ホルダ部材１５に保持された加熱発泡材１５ｃは、火災発生時には発泡して室内凹状部１１ｇ内の領域を充填し、内障子２の枠側縦框２２の下端部と下枠１１の内周面との間の隙間を閉塞する。また、下端部ホルダ部材１３の加熱発泡材１３ｃと同様に、内障子２の枠側縦框２２に形成された凹部２２ｃの下端部も閉塞することができる。
【００４７】
図１５には、火災発生時の状態におけるサッシの横断面図を示している。この図に示すように、下端部ホルダ部材１３が保持していた加熱発泡材１３ｃは、内障子２を案内するレール部１１ａから外障子３の凹部２２ｃを含む室内側面までの領域を覆って、特に枠体１側の気密材と当接しない凹部２２ｃの部分の穴を塞ぐことができる。また、下中央ホルダ部材１４が保持していた加熱発泡材１４ｃは、内障子２と外障子３の召合わせ部分において、内障子２が案内されるレール部１１ａより室外側の領域を覆って、召合わせ下端部を塞ぐことができる。さらに、下室内端部ホルダ部材１５が保持していた加熱発泡材１５ｃは、下枠１１の室内端部から内障子２の凹部２２ｃを含む室内側面までの領域を覆って、特に枠体１側の気密材と当接しない凹部２２ｃの部分の穴を塞ぐことができる。
【００４８】
図１に示すように、上枠１０の内障子２を案内する上レール部１０ａと外障子３を案内する上レール部１０ａとの間には、上中央ホルダ部材１６が配置される。上中央ホルダ部材１６は、上枠１０の長手方向中央部に配置される。図１６には、上枠１０と上中央ホルダ部材１６の分解斜視図を示している。
【００４９】
上中央ホルダ部材１６は、樹脂材からなり、上枠１０の内障子２を案内する上レール部１０ａと外障子３を案内する上レール部１０ａとの間に形成された上凹状部１０ｂの表面形状に略沿う外形部１６ａを備えている。外形部１６ａには、下側に面する水平面部１６ｄにシート状の加熱発泡材１６ｃを保持できるように保持部１６ｂが形成されている。
【００５０】
加熱発泡材１６ｃを保持した上中央ホルダ部材１６は、上枠１０の端部から上凹状部１０ｂに対して挿入される。上中央ホルダ部材１６の外形部１６ａは、上凹状部１０ｂの表面形状に略沿う形状を有し、両端部は上凹状部１０ｂの内壁面と若干重なり合う寸法に形成されているから、上凹状部１０ｂに対し圧入することで、上枠１０に対して固定すると共に、長手方向に対する移動も規制することができる。これにより、加熱発泡材１６ｃを所定位置に容易に配置することができる。なお、本実施形態では上中央ホルダ部材１６を圧入により固定しているが、カシメ固定など他の固定方法であってもよい。
【００５１】
上中央ホルダ部材１６に保持された加熱発泡材１６ｃは、火災発生時には発泡して上凹状部１０ｂ内の領域を充填し、内障子２と外障子３の召合わせ部分上端部に生じる隙間を閉塞する。
【００５２】
このように、加熱発泡材を保持したホルダ部材を、枠体１を構成する枠部材に係止固定自在としたことにより、加熱発泡材の固定に粘着テープ等を用いる必要がなく、経年劣化による脱落を防止でき、また、枠部材に加熱発泡材の固定のための加工を行う必要もないので、容易に加熱発泡材を所定位置に固定することができる。
【００５３】
各ホルダ部材は、樹脂材からなるので、弾性的に係止させることが可能であると共に、安価に形成することができる。また、火災発生時に高温になるとホルダ部材は溶融するが、加熱発泡材によって覆われてしまうので、樹脂材が流出して発火することは防止される。ホルダ部材は、樹脂材で形成されるものには限られず、金属材や、樹脂材と金属材の複合材であってもよい。なお、樹脂材でホルダ部材を形成する場合には、難燃性の材料を用いることが望ましい。
【００５４】
本実施形態では、加熱発泡材を枠部材に対して固定するものについて説明したが、框部材に対して固定する場合にも、ホルダ部材と加熱発泡材を一体化して取付けることが可能である。また、加熱発泡材のホルダ部材に対する固定手段は、係止に限られず、一対の壁の間に挟持されるなどの手段によってもよい。また、ホルダ部材は、枠部材または框部材に収納されるようにして装着されてもよいし、枠部材の内周面上に載置されるものであってよい。
【００５５】
以上、本発明の実施形態について説明したが、本発明の適用は本実施形態には限られず、その技術的思想の範囲内において様々に適用されうるものである。本実施形態では、引き違いサッシに本発明を適用したものを示したが、開き窓や嵌め殺し窓など他の種類のサッシであってもよい。
【符号の説明】
【００５６】
１    枠体
２    内障子
３    外障子
４    框体
５    パネル体
１０    上枠
１０ａ  上レール部
１０ｂ  上凹状部
１１    下枠
１１ａ  レール部
１１ｄ  室外凹状部
１１ｇ  室内凹状部
１２    縦枠
１２ａ  フィン部
１３    下端部ホルダ部材
１３ａ  外形部
１３ｂ  保持部
１３ｃ  加熱発泡材
１３ｄ  垂直面部
１４    下中央ホルダ部材
１４ａ  外形部
１４ｂ  保持部
１４ｃ  加熱発泡材
１５    下室内端部ホルダ部材
１５ａ  外形部
１５ｂ  保持部
１５ｃ  加熱発泡材
１６    上中央ホルダ部材
１６ａ  外形部
１６ｂ  保持部
１６ｃ  加熱発泡材
【図１】
2014074266.tif 000003
【図２】
2014074266.tif 000004
【図３】
2014074266.tif 000005
【図４】
2014074266.tif 000006
【図５】
2014074266.tif 000007
【図６】
2014074266.tif 000008
【図７】
2014074266.tif 000009
【図８】
2014074266.tif 000010
【図９】
2014074266.tif 000011
【図１０】
2014074266.tif 000012
【図１１】
2014074266.tif 000013
【図１２】
2014074266.tif 000014
【図１３】
2014074266.tif 000015
【図１４】
2014074266.tif 000016
【図１５】
2014074266.tif 000017
【図１６】
2014074266.tif 000018